(57)【要約】【課題】演奏者が楽譜のページ捲りを行う際に、前後のページの繋がりを把握し易くした楽譜を印刷する画像形成装置を提供する。【解決手段】画像形成装置１は、連続した複数ページからなる楽譜データを入力する画像読取部１００と、入力した楽譜データを記録紙の片面または両面に印刷する画像形成部２００とを備える。画像形成部２００は、楽譜データの先頭から複数ページを１枚目の記録紙の表面水平方向に並べて印刷し、この複数ページに連続する次の複数ページを２枚目の記録紙の表面水平方向に並べて印刷し、次の複数ページのうちのページ番号が最も小さいページを２枚目の記録紙の裏面に印刷する。【選択図】図２
2011255598.tif 000002
【特許請求の範囲】
【請求項１】
連続した複数ページからなる楽譜データを入力する入力手段と、該入力した楽譜データを記録紙の片面または両面に印刷する画像形成手段とを備えた画像形成装置であって、
前記画像形成手段は、前記楽譜データの先頭から複数ページを１枚目の記録紙の表面水平方向に並べて印刷し、前記複数ページに連続する次の複数ページを２枚目の記録紙の表面水平方向に並べて印刷し、前記次の複数ページのうちのページ番号が最も小さいページを前記２枚目の記録紙の裏面に印刷することを特徴とする画像形成装置。
【請求項２】
請求項１に記載の画像形成装置において、前記画像形成手段は、前記次の複数ページのうちのページ番号が最も小さいページを、前記２枚目の記録紙の表面及び裏面の互いに重なる位置に印刷することを特徴とする画像形成装置。
【請求項３】
請求項１に記載の画像形成装置において、前記画像形成手段は、前記次の複数ページのうちのページ番号が最も小さいページを、前記２枚目の記録紙の表面及び裏面の互いに重ならない位置に印刷することを特徴とする画像形成装置。
【請求項４】
請求項１に記載の画像形成装置において、楽譜を読む方向及びページの捲り方向をユーザにより指定させ、該指定された内容に基づいて前記画像形成手段に印刷指示する印刷指示手段を備え、該印刷指示手段により指示された楽譜を読む方向とページの捲り方向とが異なる方向の場合、前記画像形成手段は、前記次の複数ページのうちのページ番号が最も小さいページを、前記２枚目の記録紙の表面及び裏面の互いに重なる位置に印刷し、前記印刷指示手段により指示された楽譜を読む方向とページの捲り方向とが同じ方向の場合、前記画像形成手段は、前記次の複数ページのうちのページ番号が最も小さいページを、前記２枚目の記録紙の表面及び裏面の互いに重ならない位置に印刷することを特徴とする画像形成装置。
【請求項５】
請求項１〜４のいずれか１項に記載の画像形成装置により楽譜が印刷された印刷物。
【請求項６】
請求項１〜４のいずれか１項に記載の画像形成装置と接続される情報処理装置にインストールするためのプリンタドライバであって、
楽譜を読む方向及びページの捲り方向をユーザにより指定させ、該指定された内容に基づいて前記画像形成装置に印刷指示することを特徴とするプリンタドライバ。
【請求項７】
画像形成装置により楽譜を印刷する楽譜印刷方法であって、
前記画像形成装置が、連続した複数ページからなる楽譜データを入力する入力ステップと、該入力した楽譜データを記録紙の片面または両面に印刷する画像形成ステップとを備え、
該画像形成ステップは、前記楽譜データの先頭から複数ページを１枚目の記録紙の表面水平方向に並べて印刷し、前記複数ページに連続する次の複数ページを２枚目の記録紙の表面水平方向に並べて印刷し、前記次の複数ページのうちのページ番号が最も小さいページを前記２枚目の記録紙の裏面に印刷することを特徴とする楽譜印刷方法。
【発明の詳細な説明】
【技術分野】
【０００１】
本発明は、画像形成装置、印刷物、プリンタドライバ、及び楽譜印刷方法に関し、より詳細には、連続した複数ページで構成される楽譜を記録紙の片面または両面に印刷する画像形成装置、印刷物、プリンタドライバ、及び楽譜印刷方法に関する。
【背景技術】
【０００２】
従来の楽譜（譜面ともいう）は、中綴じ、無線綴じなどの一般的な製本様式のものや、一枚ずつの集合体としたものが多く使用されている。しかしながら、このような楽譜の形態は、連続的に一見できない、所望のページを開くことが難しいなど、使い勝手が悪く、演奏が中断されたり、演奏の間違いなどを引き起こす可能性があった。これを防止するために、楽譜を必要な部分だけコピーする、あるいは、必要な部分のみ五線紙に手書きで書き写すなどの手間のかかる対策を取っていた。
【０００３】
これに対して、特許文献１には、経本折りした印刷紙の同一紙面上に、連続的に楽譜を印刷した印刷物が記載されている。この印刷物を長手方向に拡げると、楽譜を連続的に一見できると共に、経本折りした状態で見開きページを開く場合に、折り曲げ部分の紙の剛性により僅かに浮き上がった状態となり、見開きページを確実に開くことができる。これにより使い勝手の向上を図っている。
【先行技術文献】
【特許文献】
【０００４】
【特許文献１】特開平７−２７６８５０号公報
【発明の概要】
【発明が解決しようとする課題】
【０００５】
ここで、連続した複数ページで構成される楽譜を見ながら演奏を行う際に、演奏者は、何度もページ捲りを行う必要があり煩わしい作業を強いられていた。特許文献１に記載の印刷物のように、経本折りした場合でも、ページ捲りの際に、現ページの最終部と、次ページの先頭部との繋がりを把握することは難しく、特に熟練していない演奏者にとっては、演奏を間違うなどの問題があった。
【０００６】
本発明は、上述のごとき実情に鑑みてなされたもので、演奏者が楽譜のページ捲りを行う際に、前後のページの繋がりを把握し易くした楽譜を印刷する画像形成装置、印刷物、プリンタドライバ、及び楽譜印刷方法を提供すること、を目的とする。
【課題を解決するための手段】
【０００７】
上記課題を解決するために、本発明の第１の技術手段は、連続した複数ページからなる楽譜データを入力する入力手段と、該入力した楽譜データを記録紙の片面または両面に印刷する画像形成手段とを備えた画像形成装置であって、前記画像形成手段は、前記楽譜データの先頭から複数ページを１枚目の記録紙の表面水平方向に並べて印刷し、前記複数ページに連続する次の複数ページを２枚目の記録紙の表面水平方向に並べて印刷し、前記次の複数ページのうちのページ番号が最も小さいページを前記２枚目の記録紙の裏面に印刷することを特徴としたものである。
【０００８】
第２の技術手段は、第１の技術手段において、前記画像形成手段は、前記次の複数ページのうちのページ番号が最も小さいページを、前記２枚目の記録紙の表面及び裏面の互いに重なる位置に印刷することを特徴としたものである。
【０００９】
第３の技術手段は、第１の技術手段において、前記画像形成手段は、前記次の複数ページのうちのページ番号が最も小さいページを、前記２枚目の記録紙の表面及び裏面の互いに重ならない位置に印刷することを特徴としたものである。
【００１０】
第４の技術手段は、第１の技術手段において、楽譜を読む方向及びページの捲り方向をユーザにより指定させ、該指定された内容に基づいて前記画像形成手段に印刷指示する印刷指示手段を備え、該印刷指示手段により指示された楽譜を読む方向とページの捲り方向とが異なる方向の場合、前記画像形成手段は、前記次の複数ページのうちのページ番号が最も小さいページを、前記２枚目の記録紙の表面及び裏面の互いに重なる位置に印刷し、前記印刷指示手段により指示された楽譜を読む方向とページの捲り方向とが同じ方向の場合、前記画像形成手段は、前記次の複数ページのうちのページ番号が最も小さいページを、前記２枚目の記録紙の表面及び裏面の互いに重ならない位置に印刷することを特徴としたものである。
【００１１】
第５の技術手段は、第１〜第４のいずれか１の技術手段における画像形成装置により楽譜が印刷された印刷物である。
【００１２】
第６の技術手段は、第１〜第４のいずれか１の技術手段における画像形成装置と接続される情報処理装置にインストールするためのプリンタドライバであって、楽譜を読む方向及びページの捲り方向をユーザにより指定させ、該指定された内容に基づいて前記画像形成装置に印刷指示することを特徴としたものである。
【００１３】
第７の技術手段は、画像形成装置により楽譜を印刷する楽譜印刷方法であって、前記画像形成装置が、連続した複数ページからなる楽譜データを入力する入力ステップと、該入力した楽譜データを記録紙の片面または両面に印刷する画像形成ステップとを備え、該画像形成ステップは、前記楽譜データの先頭から複数ページを１枚目の記録紙の表面水平方向に並べて印刷し、前記複数ページに連続する次の複数ページを２枚目の記録紙の表面水平方向に並べて印刷し、前記次の複数ページのうちのページ番号が最も小さいページを前記２枚目の記録紙の裏面に印刷することを特徴としたものである。
【発明の効果】
【００１４】
本発明によれば、連続した複数ページからなる楽譜データを印刷する際に、楽譜データの先頭から複数ページを１枚目の記録紙の表面水平方向に並べて印刷し、この複数ページに連続する次の複数ページを２枚目の記録紙の表面水平方向に並べて印刷し、次の複数ページのうちのページ番号が最も小さいページを２枚目の記録紙の裏面に印刷することにより、演奏者が楽譜のページ捲りを行う際に、前後のページの繋がりを容易に把握することができる。
【図面の簡単な説明】
【００１５】
【図１】本発明による画像形成装置の構成例を示す図である。
【図２】図１に示した画像形成装置を機能的に説明するためのブロック図である。
【図３】ＰＣにインストールされているプリンタドライバの画面例を示す図である。
【図４】譜面印刷設定画面の一例を示す図である。
【図５】画像形成装置により印刷された印刷物の一例を示す図である。
【図６】図５の印刷物を譜面台にセットした際のページ捲りの様子を説明するための図である。
【図７】画像形成装置により印刷された印刷物の他の例を示す図である。
【図８】図７の印刷物を譜面台にセットした際のページ捲りの様子を説明するための図である。
【図９】画像形成装置により印刷された印刷物の他の例を示す図である。
【図１０】図９の印刷物を譜面台にセットした際のページ捲りの様子を説明するための図である。
【図１１】画像形成装置により印刷された印刷物の他の例を示す図である。
【図１２】図１１の印刷物を譜面台にセットした際のページ捲りの様子を説明するための図である。
【発明を実施するための形態】
【００１６】
図１は、本発明による画像形成装置の構成例を示す図で、図中、１は画像形成装置を示す。この画像形成装置１は、デジタルカラー型の画像形成装置であり、大きく分けて、画像読取部１００と、画像形成部２００とを含んで構成されている。なお、画像形成装置１としては、複写機、プリンタ、ＭＦＰ（デジタル複合機）のいずれであってもよい。
【００１７】
画像読取部１００は、原稿台１０５と、光学系のスキャナ部１２０と、両面自動原稿送り装置（ＲＡＤＦ）１３０とを備えている。原稿台１０５には、読み取られる原稿が載置される。スキャナ部１２０は、原稿台１０５の下方に配置されており、原稿台１０５に載置された原稿の画像を読み取る。ＲＡＤＦ１３０は、原稿台１０５の上側に配置されており、読み取るべき原稿を原稿台１０５に順次搬送する。
【００１８】
スキャナ部１２０は、更に、第１走査ユニット１２２と、第２走査ユニット１２４と、光学レンズ１２６と、ＣＣＤ(Charge Coupled Device)ラインセンサ１２８とを備えて構成される。第１走査ユニット１２２は、原稿台１０５の下面に沿って往復移動する。このとき、第１走査ユニット１２２は、原稿台１０５の下面に対して一定の距離を保ちながら所定の走査速度で移動する。第１走査ユニット１２２は、原稿画像表面を露光する露光ランプと、原稿からの反射光像を所定の方向に向かって偏光する第１ミラーとを備えている。
【００１９】
第２走査ユニット１２４は、第１走査ユニット１２２における第１のミラーによって偏光された原稿からの反射光像をＣＣＤラインセンサ１２８の方向に導くための第２ミラー及び第３ミラーを備えている。光学レンズ１２６は、第２走査ユニット１２４における第２レンズおよび第３レンズにより偏光された原稿からの反射光像を縮小し、縮小された光像をＣＣＤラインセンサ１２８上の所定位置に結像させる。
【００２０】
ＣＣＤラインセンサ１２８は、結像された光像を順次光電変換して電気信号として出力する。ＣＣＤラインセンサ１２８は、白黒画像あるいはカラー画像を読み取り、Ｒ（赤），Ｇ（緑），Ｂ（青）の各色成分に色分解したラインデータを出力することのできる３ラインのカラーＣＣＤである。このＣＣＤラインセンサ１２８により電気信号に変換された読取画像データは、さらに、後述する画像処理部１５０（図２）に転送されて所定手順で画像処理が施される。
【００２１】
画像形成部２００は、大別すると、給紙部、画像生成部、排紙部によって構成される。給紙部には給紙カセット２１１及び手差しトレイ２５０が設けられる。なお、図１では１つの給紙カセット２１１を図示しているが複数であってもよい。この給紙カセット２１１から画像生成部を経由して排紙部までの間に用紙搬送路が形成される。用紙搬送路は、搬送ローラ２５１の動作により形成され、用紙Ｐは、転写搬送ベルト機構２１３に運ばれる。ここで、用紙搬送路における給紙カセット２１１の下流側であって画像形成部の上流側には一対のレジストローラ２１２が配設される。レジストローラ２１２は、画像生成部（転送搬送ベルト機構２１３）に用紙Ｐを導くタイミングを調整する。
【００２２】
また、用紙Ｐは、手差しトレイ２５０から給紙される場合もある。手差しトレイ２５０に載置された用紙Ｐは、搬送ローラ２５１により転写搬送ベルト機構２１３に運ばれる。ここで、手差しトレイ２５０には、用紙の有無を検出する用紙センサ４００が設けられている。用紙センサ４００は、手差しトレイ２５０に載置された用紙の有無及び用紙の長さを検出し、定型の用紙サイズ検出に用いられる。
【００２３】
なお、本実施形態においては、用紙Ｐを手差し用紙として給紙する方法として手差しトレイ２５０を利用する場合について説明するが、給紙カセット２１１を利用した場合でも同様であることは勿論である。
【００２４】
画像生成部は、４つの画像形成ステーションＰａ、Ｐｂ、Ｐｃ、Ｐｄと、用紙搬送路を挟んで画像形成ステーションＰａ、Ｐｂ、Ｐｃ、Ｐｄの反対側に配設される転写搬送ベルト機構２１３を備えている。
【００２５】
画像形成ステーションＰａ、Ｐｂ、Ｐｃ、Ｐｄは、それぞれ実質的に同一の構造をしている。画像形成ステーションＰａ、Ｐｂ、Ｐｃ、Ｐｄは、像担持体としての感光体ドラム２２２ａ〜２２２ｄを備えている。また、感光体ドラム２２２ａ〜２２２ｄの周辺に帯電器２２３ａ〜２２３ｄ、レーザビームスキャンユニット２２７ａ〜２２７ｄ、現像装置２２４ａ〜２２４ｄ、転写用放電器２２５ａ〜２２５ｄ、およびクリーニング装置２２６ａ〜２２６ｄが配設される。
【００２６】
帯電器２２３ａ〜２２３ｄは、感光体ドラム２２２ａ〜２２２ｄの周面を一様に帯電する。レーザビームスキャンユニット２２７ａ〜２２７ｄは、ポリゴンミラー２４０ａ〜２４０ｄ、ｆθレンズ２４１ａ〜２４１ｄ、ミラー２４２ａ〜２４２ｄ、ミラー２４３ａ〜２４３ｄを備えている。レーザビームスキャンユニット２２７ａ〜２２７ｄは、画像読取部１００から入力される画像データに基づいて、感光体ドラム２２２ａ〜２２２ｄの周面に静電潜像を形成する。現像装置２２４ａ〜２２４ｄは、感光体ドラム２２２ａ〜２２２ｄの周面に形成された静電潜像に現像剤を供給して現像剤像を形成する。転写用放電器２２５ａ〜２２５ｄは、感光体ドラム２２２ａ〜２２２ｄの周面に形成された現像剤像を用紙搬送路上の用紙Ｐに転写させる。クリーニング装置２２６ａ〜２２６ｄは、感光体ドラム２２２ａ〜２２２ｄ上に残留する現像剤を除去する。
【００２７】
転写搬送ベルト機構２１３は、駆動ローラ２１４、従動ローラ２１５、およびこれらのローラを含む複数のローラに張架された転写搬送ベルト２１６を備えている。転写搬送ベルト機構２１３は、図中の反時計方向に回転する転写搬送ベルト２１６に用紙Ｐを静電吸着させつつ、用紙搬送路の下流側に用紙Ｐを導く。
【００２８】
用紙搬送路における転写搬送ベルト機構２１３の下流側には、定着装置２１７、切り換えゲート２１８、および排紙ローラ２１９が配設されている。定着装置２１７は、用紙Ｐに付着して未定着の現像剤像を用紙Ｐに定着させる。切り換えゲート２１８は、用紙Ｐの搬送方向を切り換える。具体的には、切り換えゲート２１８は、用紙搬送路を搬送される用紙Ｐを排紙ローラ２１９またはスイッチバック搬送路２２１のいずれかに選択的に切り換える。排紙ローラ２１９は、画像形成装置１の外部に用紙Ｐを排出する。なお、画像形成装置１の外側には、排紙ローラ２１９から排出される用紙Ｐを収容するための排紙トレイ２２０が配設されている。
【００２９】
図２は、図１に示した画像形成装置１を機能的に説明するためのブロック図である。画像形成装置１は、ＣＰＵ１０、ＲＯＭ２０、ＲＡＭ３０、操作パネル４０、ネットワークＩ／Ｆ７０、画像読取部１００、及び画像形成部２００を備える。
【００３０】
ＣＰＵ１０は、ＲＯＭ２０に記憶されている各種プログラムやデータを読み出して実行することにより、各機能を実現するための制御部である。なお、ＣＰＵ１０は、各種機能をプログラムにより実現することが可能であり、例えば、後述する画像処理部１５０の機能をＣＰＵ１０が実現することとしてもよい。
【００３１】
画像読取部１００は、画像処理部１５０に、スキャナ部１２０と、画像記憶部１６０と、画像読取制御部１７０とが接続されている。スキャナ部１２０により読み取られた画像データは、画像処理部１５０において処理され、画像記憶部１６０に一時的に記憶される。そして、原稿の読み取りを完了したら、ＲＡＭ３０に出力する。また、スキャナ部１２０、画像処理部１５０、及び画像記憶部１６０は、画像読取制御部１７０により制御されて機能する。
【００３２】
画像形成部２００は、読み取られた画像データの画像を形成して出力するための機能部である。画像形成部２００により、読み取られた画像データが、用紙Ｐに印刷され画像形成装置１から出力されることとなる。
【００３３】
ＲＯＭ２０は、画像形成装置１の動作に必要なプログラムやデータを格納している。また、ＲＡＭ３０は、一次的に画像データ等を蓄えておく揮発性のメモリである。画像読取部１００において読み取られた画像は、ＲＡＭ３０に出力され記憶されることとなる。
【００３４】
操作パネル４０は、表示部５０及び操作部６０を備えて構成されており、ユーザが画像形成装置１の操作を行う場合に利用される機能部である。表示部５０は、利用者に対して必要な表示を行うことが可能であり、例えばＬＣＤ（Liquid Crystal Display）等により構成されている。また、操作部６０は、ユーザからのコマンドや設定等の入力を受け付ける機能部である。例えば各種操作ボタンや、タッチパネル等により構成されている。
【００３５】
ネットワークＩ／Ｆ７０は、ユーザが使用するＰＣ（パーソナルコンピュータ）２などの情報処理装置とＬＡＮ(Local Area Network)などの通信回線を介して接続する通信インターフェイスである。
【００３６】
本発明の主たる特徴部分は、演奏者が楽譜のページ捲りを行う際に、前後のページの繋がりを把握し易くした楽譜を印刷することにある。このための構成として、画像形成装置１は、連続した複数ページからなる楽譜データを入力する入力手段に相当する画像読取部１００あるいはネットワークＩ／Ｆ７０と、入力した楽譜データを記録紙の片面または両面に印刷する画像形成手段に相当する画像形成部２００とを備える。なお、画像読取部１００を介して入力する場合、楽譜原稿を読み取って楽譜データを入力し、ネットワークＩ／Ｆ７０を介して入力する場合、ＰＣ２から送信される楽譜データを入力する。
【００３７】
ユーザが画像形成装置１により楽譜を印刷する場合、画像形成装置１が備える操作パネル４０あるいはＰＣ２にインストールされているプリンタドライバ（後述）により、楽譜印刷モードを指定可能としている。この楽譜印刷モードが指定され、楽譜の印刷が指示された場合、画像形成部２００は、楽譜データの先頭から複数ページを１枚目の記録紙の表面水平方向に並べて印刷し、この複数ページに連続する次の複数ページを２枚目の記録紙の表面水平方向に並べて印刷し、次の複数ページのうちのページ番号が最も小さいページを２枚目の記録紙の裏面に印刷する。この画像形成装置１による楽譜印刷処理の具体的な実施形態については、後述の図５〜図１２で説明する。
【００３８】
図３は、ＰＣ２にインストールされているプリンタドライバの画面例を示す図で、図中、２１はプリンタドライバ画面を示す。このプリンタドライバ画面２１には、楽譜印刷モードを指定するための楽譜印刷指定欄２２と、楽譜印刷に関する設定を行うための譜面印刷設定２３とが含まれる。ユーザが、譜面印刷設定２３を選択指示すると、図４に示す譜面印刷設定画面２４が表示される。この譜面印刷設定画面２４は、楽譜を読む方向（進行方向）を指定するための進行方向指定欄２４ａと、楽譜のページめくり方向（右から左、または、左から右）を指定するためのページめくり方向指定欄２４ｂとが含まれる。
【００３９】
なお、楽譜のページを先頭から順番にＰ１，Ｐ２，Ｐ３，…とした場合、Ｐ１からＰ２へ向かう方向が楽譜を読む方向となるが、邦楽の場合、楽譜が図の右から左へ進行し、洋楽の場合、楽譜が図の左から右へ進行する。このため、進行方向指定欄２４ａによりいずれかの進行方向を指定できるようにしている。
【００４０】
このように、ＰＣ２にインストール可能なプリンタドライバは、楽譜を読む方向及びページの捲り方向をユーザにより指定させ、指定された内容に基づいて画像形成装置１に印刷指示を行うことができる。なお、楽譜のコピーを行う場合、このプリンタドライバと同様の印刷内容を、操作パネル４０から指定することができる。この場合、操作パネル４０が印刷指示手段に相当し、楽譜を読む方向及びページの捲り方向をユーザにより指定させ、指定された内容に基づいて画像形成部２００に印刷指示を行う。
【００４１】
（第１の実施形態）
図５、図６は、本発明の第１の実施形態に係る楽譜印刷処理について説明するための図である。図５は画像形成装置１により印刷された印刷物の一例を示し、図６は図５の印刷物を譜面台にセットした際のページ捲りの様子を説明するための図である。なお、以下の各実施形態において、例えば、Ｂ５サイズの楽譜を１ページずつ入力し、これを２ページ分まとめて１枚のＢ４サイズの記録紙に印刷する第１のケース、あるいは、２ページ分が見開きで製本されたＢ４サイズの楽譜を入力し、これをそのまま１枚のＢ４サイズの記録紙に印刷する第２のケースのいずれのケースにも適用できるものとする。
【００４２】
本実施形態では、楽譜を読む方向が右から左へ向かう邦楽用楽譜を対象とし、ページめくりを左から右へ行う場合について説明する。画像形成部２００は、楽譜データの先頭から２ページ分（Ｐ１，Ｐ２）を１枚目の記録紙の表面水平方向に並べて印刷する。Ｐ１，Ｐ２が印刷された１枚目の印刷物を図５（Ａ）に示す。そして、画像形成部２００は、上記Ｐ１，Ｐ２に連続する次の２ページ分（Ｐ３，Ｐ４）を２枚目の記録紙の表面水平方向に並べて印刷し、Ｐ３，Ｐ４のうちのページ番号が最も小さいページ（ここではＰ３）を２枚目の記録紙の裏面に印刷する。Ｐ３，Ｐ４が印刷された２枚目の印刷物を図５（Ｂ）に示す。すなわち、画像形成部２００は、Ｐ３，Ｐ４のうちのページ番号が最も小さいページ（Ｐ３）を、２枚目の記録紙の表面及び裏面の互いに重なる位置に印刷する。以後、Ｐ５以降についても同様に印刷処理され、図５（Ｂ）と同様の印刷物が出力される。
【００４３】
図５（Ｂ）の例では、記録紙の表面にＰ３，Ｐ４が右から左に向けて印刷され、Ｐ３の裏面にＰ３が印刷され、Ｐ４の裏面は何も印刷されない白紙の状態となる。従って、この印刷物の裏面を上にして見た場合、Ｐ３が左側に印刷されていることになる。このようにしてＰ１〜Ｐ８まで印刷した４枚の印刷物を譜面台にセットし、ページ捲りを行った場合、図６に示すように楽譜の状態が変化する。
【００４４】
図６において、ｄ１はＰ１，Ｐ２が印刷された印刷物、ｄ２はＰ３，Ｐ４が印刷された印刷物、ｄ３はＰ５，Ｐ６が印刷された印刷物、ｄ４はＰ７，Ｐ８が印刷された印刷物を示す。演奏者は、このような印刷物ｄ１〜ｄ４を譜面台にセットする際に、譜面台に対して、印刷物ｄ４の裏面を上に、表面を下に向けてセットし、以下同様に、印刷物ｄ３、ｄ２の順で譜面台に重ねてセットする。そして、最後に、印刷物ｄ１の表面を上にしてセットするが、この際、印刷物ｄ２のＰ３が、印刷物ｄ１のＰ２の隣りに連続して見えるように、印刷物ｄ１を印刷物ｄ２に対して水平方向（図の右方向）にずらしてセットする（Ｓ１）。
【００４５】
そして、演奏者は、上記Ｓ１でセットされた印刷物ｄ１のＰ１から順に演奏を開始し、印刷物ｄ２のＰ３の例えば後半部分になったときに、ページめくりを行う。この際、印刷物ｄ２の左から右にめくっていくため、印刷物ｄ２の表裏が反転し、印刷物ｄ２の表面（Ｐ３，Ｐ４）が上になった状態で印刷物ｄ１の上に重ねられる（Ｓ２）。このとき、印刷物ｄ２のＰ３が図の右側に印刷されているため、演奏者は、ページめくりの前後でＰ３の内容を見失うことがなく、ページ間の繋がりを容易に把握することができる。このＳ２の状態では、印刷物ｄ３のＰ５が、印刷物ｄ２のＰ４の隣りに連続して見えるように、印刷物ｄ２を印刷物ｄ３に対して水平方向（図の右方向）にずらして配置される。
【００４６】
そして、同様に、演奏者は、印刷物ｄ３のＰ５の後半部分になったときに、印刷物ｄ３の左から右にページめくりを行い、印刷物ｄ３の表裏を反転させて、印刷物ｄ３の表面（Ｐ５，Ｐ６）が上になった状態で印刷物ｄ２の上に重ねる（Ｓ３）。このようにして、演奏者は楽譜のページをめくりながら、演奏を進めていくが、ページめくりの前後で内容を見失うことがなく、ページ間の繋がりを容易に把握することができるため、演奏間違えを防止することができる。
【００４７】
（第２の実施形態）
図７、図８は、本発明の第２の実施形態に係る楽譜印刷処理について説明するための図である。図７は画像形成装置１により印刷された印刷物の他の例を示し、図８は図７の印刷物を譜面台にセットした際のページ捲りの様子を説明するための図である。
【００４８】
本実施形態では、楽譜を読む方向が右から左へ向かう邦楽用楽譜を対象とするが、ページめくりを右から左へ行う場合について説明する。第１の実施形態と同様に、画像形成部２００は、楽譜データの先頭から２ページ分（Ｐ１，Ｐ２）を１枚目の記録紙の表面水平方向に並べて印刷する。そして、画像形成部２００は、上記Ｐ１，Ｐ２に連続する次の２ページ分（Ｐ３，Ｐ４）を２枚目の記録紙の表面水平方向に並べて印刷し、Ｐ３，Ｐ４のうちのページ番号が最も小さいページ（Ｐ３）を２枚目の記録紙の裏面に印刷する。Ｐ３，Ｐ４が印刷された２枚目の印刷物を図７に示す。すなわち、画像形成部２００は、Ｐ３，Ｐ４のうちのページ番号が最も小さいページ（Ｐ３）を、２枚目の記録紙の表面及び裏面の互いに重ならない位置に印刷する。以後、Ｐ５以降についても同様に印刷処理され、図７と同様の印刷物が出力される。
【００４９】
図７の例では、記録紙の表面にＰ３，Ｐ４が右から左に向けて印刷され、Ｐ４の裏面にＰ３が印刷され、Ｐ３の裏面は何も印刷されない白紙の状態となる。従って、この印刷物の裏面を上にして見た場合、Ｐ３が右側に印刷されていることになる。このようにしてＰ１〜Ｐ８まで印刷した４枚の印刷物を譜面台にセットし、ページ捲りを行った場合、図８に示すように楽譜の状態が変化する。
【００５０】
図８において、ｄ１１はＰ１，Ｐ２が印刷された印刷物、ｄ１２はＰ３，Ｐ４が印刷された印刷物、ｄ１３はＰ５，Ｐ６が印刷された印刷物、ｄ１４はＰ７，Ｐ８が印刷された印刷物を示す。演奏者は、このような印刷物ｄ１１〜ｄ１４を譜面台にセットする際に、第１の実施形態と同様に、譜面台に対して、印刷物ｄ１４の裏面を上に、表面を下に向けてセットし、以下同様に、印刷物ｄ１３、ｄ１２の順で譜面台に重ねてセットする。そして、最後に、印刷物ｄ１１の表面を上にしてセットするが、この際、印刷物ｄ１２のＰ３が、印刷物ｄ１１のＰ１の隣りに連続して見えるように、印刷物ｄ１１を印刷物ｄ１２に対して水平方向（図の左方向）にずらしてセットする（Ｓ１１）。
【００５１】
そして、演奏者は、上記Ｓ１１でセットされた印刷物ｄ１１のＰ１から順に演奏を開始し、印刷物ｄ１２のＰ３の例えば後半部分になったときに、ページめくりを行う。この際、印刷物ｄ１２の右から左にめくっていくため、印刷物ｄ１２の表裏が反転し、印刷物ｄ１２の表面（Ｐ３，Ｐ４）が上になった状態で印刷物ｄ１１の上に重ねられる（Ｓ１２）。このとき、印刷物ｄ１２のＰ３が図の右側に印刷されているため、演奏者は、ページめくりの前後でＰ３の内容を見失うことがなく、ページ間の繋がりを容易に把握することができる。このＳ１２の状態では、印刷物ｄ１３のＰ５が、印刷物ｄ１２のＰ３の隣りに見えるように、印刷物ｄ１２を印刷物ｄ１３に対して水平方向（図の左方向）にずらして配置される。
【００５２】
そして、同様に、演奏者は、印刷物ｄ１３のＰ５の後半部分になったときに、印刷物ｄ１３の右から左にページめくりを行い、印刷物ｄ１３の表裏を反転させて、印刷物ｄ１３の表面（Ｐ５，Ｐ６）が上になった状態で印刷物ｄ１２の上に重ねる（Ｓ１３）。このようにして、第１の実施形態と同様に、演奏者は楽譜のページをめくりながら、演奏を進めていくが、ページめくりの前後で内容を見失うことがなく、ページ間の繋がりを容易に把握することができるため、演奏間違えを防止することができる。
【００５３】
なお、本実施形態の場合、ページめくりの方向を右から左としたため、楽譜を読んでいく方向がＰ１，Ｐ２，Ｐ３の順であるのに対して、ページ配置が右から順にＰ３，Ｐ１，Ｐ２の順、すなわち、ページ番号の最も大きいページが常に右端に配置されることになり、楽譜を読む方向に対してページ配置が連続していない。このため演奏者は予めページの配置を把握しておく必要がある。
【００５４】
（第３の実施形態）
図９、図１０は、本発明の第３の実施形態に係る楽譜印刷処理について説明するための図である。図９は画像形成装置１により印刷された印刷物の他の例を示し、図１０は図９の印刷物を譜面台にセットした際のページ捲りの様子を説明するための図である。
【００５５】
本実施形態では、楽譜を読む方向が左から右へ向かう洋楽用楽譜を対象とし、ページめくりを左から右へ行う場合について説明する。前述の実施形態と同様に、画像形成部２００は、楽譜データの先頭から２ページ分（Ｐ１，Ｐ２）を１枚目の記録紙の表面水平方向に並べて印刷する。そして、画像形成部２００は、上記Ｐ１，Ｐ２に連続する次の２ページ分（Ｐ３，Ｐ４）を２枚目の記録紙の表面水平方向に並べて印刷し、Ｐ３，Ｐ４のうちのページ番号が最も小さいページ（Ｐ３）を２枚目の記録紙の裏面に印刷する。Ｐ３，Ｐ４が印刷された２枚目の印刷物を図９に示す。すなわち、画像形成部２００は、Ｐ３，Ｐ４のうちのページ番号が最も小さいページ（Ｐ３）を、２枚目の記録紙の表面及び裏面の互いに重ならない位置に印刷する。以後、Ｐ５以降についても同様に印刷処理され、図９と同様の印刷物が出力される。
【００５６】
図９の例では、記録紙の表面にＰ３，Ｐ４が左から右に向けて印刷され、Ｐ４の裏面にＰ３が印刷され、Ｐ３の裏面は何も印刷されない白紙の状態となる。従って、この印刷物の裏面を上にして見た場合、Ｐ３が左側に印刷されていることになる。このようにしてＰ１〜Ｐ８まで印刷した４枚の印刷物を譜面台にセットし、ページ捲りを行った場合、図１０に示すように楽譜の状態が変化する。なお、図１０において、Ｓ２１〜Ｓ２３までのページ捲りの遷移は、前述の第１、第２の各実施形態と同様であるため、ここでの説明は省略するものとする。
【００５７】
（第４の実施形態）
図１１、図１２は、本発明の第４の実施形態に係る楽譜印刷処理について説明するための図である。図１１は画像形成装置１により印刷された印刷物の他の例を示し、図１２は図１１の印刷物を譜面台にセットした際のページ捲りの様子を説明するための図である。
【００５８】
本実施形態では、楽譜を読む方向が左から右へ向かう洋楽用楽譜を対象とするが、ページめくりを右から左へ行う場合について説明する。前述の実施形態と同様に、画像形成部２００は、楽譜データの先頭から２ページ分（Ｐ１，Ｐ２）を１枚目の記録紙の表面水平方向に並べて印刷する。そして、画像形成部２００は、上記Ｐ１，Ｐ２に連続する次の２ページ分（Ｐ３，Ｐ４）を２枚目の記録紙の表面水平方向に並べて印刷し、Ｐ３，Ｐ４のうちのページ番号が最も小さいページ（Ｐ３）を２枚目の記録紙の裏面に印刷する。Ｐ３，Ｐ４が印刷された２枚目の印刷物を図１１に示す。すなわち、画像形成部２００は、Ｐ３，Ｐ４のうちのページ番号が最も小さいページ（Ｐ３）を、２枚目の記録紙の表面及び裏面の互いに重なる位置に印刷する。以後、Ｐ５以降についても同様に印刷処理され、図１１と同様の印刷物が出力される。
【００５９】
図１１の例では、記録紙の表面にＰ３，Ｐ４が左から右に向けて印刷され、Ｐ３の裏面にＰ３が印刷され、Ｐ４の裏面は何も印刷されない白紙の状態となる。従って、この印刷物の裏面を上にして見た場合、Ｐ３が右側に印刷されていることになる。このようにしてＰ１〜Ｐ８まで印刷した４枚の印刷物を譜面台にセットし、ページ捲りを行った場合、図１２に示すように楽譜の状態が変化する。なお、図１２において、Ｓ３１〜Ｓ３３までのページ捲りの遷移は、前述の第１、第２、第３の各実施形態と同様であるため、ここでの説明は省略するものとする。
【００６０】
上記において、ＰＣ２にインストールされたプリンタドライバあるいは画像形成装置１の操作パネル４０により、楽譜を読む方向及びページの捲り方向をユーザにより指定させ、指定された内容に基づいて印刷指示することができる。この際、楽譜を読む方向とページの捲り方向とが異なる方向（第１，第４の実施形態）の場合、画像形成部２００は、複数ページ（Ｐ３，Ｐ４）のうちのページ番号が最も小さいページ（Ｐ３）を、図５（Ｂ）、図１１に示すように、２枚目の記録紙の表面及び裏面の互いに重なる位置に印刷する。また、楽譜を読む方向とページの捲り方向とが同じ方向（第２，第３の実施形態）の場合、画像形成部２００は、複数ページ（Ｐ３，Ｐ４）のうちのページ番号が最も小さいページ（Ｐ３）を、図７、図９に示すように、２枚目の記録紙の表面及び裏面の互いに重ならない位置に印刷する。
【００６１】
以上の説明においては、画像形成装置１の実施形態を中心に説明を行ったが、本発明はこれに限定されるものではなく、画像形成装置１による楽譜印刷方法、画像形成装置１に楽譜印刷を指示するためのプリンタドライバ、あるいは、画像形成装置１により印刷された印刷物としての形態も、さらには、プリンタドライバが記録されたコンピュータ読み取り可能な記録媒体の形態としてもよい。
【００６２】
本発明によるプリンタドライバを記録した記録媒体の実施形態について説明する。記録媒体としては、具体的には、ＣＤ−ＲＯＭ（−Ｒ／−ＲＷ）、光磁気ディスク、ＤＶＤ−ＲＯＭ（−Ｒ／−ＲＷ／−ＲＡＭ）、ＦＤ、ＨＤ、フラッシュメモリ、メモリカードや、メモリスティック及びその他各種ＲＯＭやＲＡＭ等が想定できる。これら記録媒体にプリンタドライバを記録して流通させ、コンピュータ等の情報処理装置に上記のごとくの記録媒体を装着して情報処理装置によりプリンタドライバを読み出すか、若しくは、情報処理装置が備えている記憶媒体に当該プリンタドライバを記憶させておき、必要に応じて読み出すようにすればよい。
【符号の説明】
【００６３】
１…画像形成装置、２…ＰＣ、１０…ＣＰＵ、２０…ＲＯＭ、２１…プリンタドライバ画面、３０…ＲＡＭ、４０…操作パネル、５０…表示部、６０…操作部、７０…ネットワークＩ／Ｆ、１００…画像読取部、１０５…原稿台、１２０…スキャナ部、１２２…第１走査ユニット、１２４…第２走査ユニット、１２６…光学レンズ、１２８…ＣＣＤラインセンサ、１３０…両面自動原稿送り装置（ＲＡＤＦ）、１５０…画像処理部、１６０…画像記憶部、１７０…画像読取制御部、２００…画像形成部、２１１…給紙カセット、２１２…レジストローラ、２１３…転写搬送ベルト機構、２１４…駆動ローラ、２１５…従動ローラ、２１６…転写搬送ベルト、２１７…定着装置、２１８…切り換えゲート、２１９…排紙ローラ、２２０…排紙トレイ、２２１…スイッチバック搬送路、２２２…感光体ドラム、２２３…帯電器、２２４…現像装置、２２５…転写用放電器、２２６…クリーニング装置、２２７…レーザビームスキャンユニット、２４０…ポリゴンミラー、２４１…ｆθレンズ、２４２，２４３…ミラー、２５１…搬送ローラ、２５０…手差しトレイ、４００…用紙センサ。
【図１】
2011255598.tif 000003
【図２】
2011255598.tif 000004
【図３】
2011255598.tif 000005
【図４】
2011255598.tif 000006
【図５】
2011255598.tif 000007
【図６】
2011255598.tif 000008
【図７】
2011255598.tif 000009
【図８】
2011255598.tif 000010
【図９】
2011255598.tif 000011
【図１０】
2011255598.tif 000012
【図１１】
2011255598.tif 000013
【図１２】
2011255598.tif 000014